(57)【要約】【課題】画像を印刷対象として選択することが容易であり、単一画像を印刷する印刷モードでの印刷と複数の画像を印刷するモードでの印刷が可能である印刷システム、および印刷方法を提供する。【解決手段】デジタル写真システムは、デジタルカメラ３００と、ドッキング式デジタルプリンタ４００と、を含む。デジタルカメラ３００は、画像ディスプレイを含み、デジタルプリンタ４００は、カメラに表示された画像を制御し、印刷される画像を選択するためのユーザインタフェースコントロール４３０を含む。この制御と選択は、カメラの画像ディスプレイに表示された現在の画像のみを印刷する第１モードと、取り込まれた複数の画像の中から少なくとも２つの画像を印刷する第２モードと、を含む複数のプリンタモードを利用して行う。【選択図】図２
2004242316.tif 000002
【特許請求の範囲】
【請求項１】
画像を取り込むためのデジタルカメラと、ハードコピープリントを作成するためのデジタルプリンタと、を含むデジタル写真システムであって、
前記デジタルカメラが、
画像を取り込む画像センサと、
取り込まれた複数の画像を保存するメモリと、
保存された画像を表示する画像ディスプレイと、を含み、
前記デジタルプリンタが、
プリント上に画像を提供するように構成されたマーキング装置と、
前記デジタルカメラから該プリンタに画像を転送する電気的接続部と、
前記デジタルカメラの画像ディスプレイに表示された現行画像のみを印刷する第１印刷モードと、取り込まれた複数の画像の中から少なくとも２つの画像を印刷する第２印刷モードと、を含む少なくとも２つの異なる印刷モードにおいて該プリンタを選択的に制御するユーザコントロールと、を含む
ことを特徴とするデジタル写真システム。
【請求項２】
ハードコピープリントの作成に適したプリンタであって、
画像ディスプレイを含むデジタルカメラをプリンタに接続し、前記デジタルカメラのデジタルメモリに保存されている複数の取り込み画像をプリンタに転送するように構成されたインタフェース機構と、
前記デジタルカメラの画像ディスプレイに表示された現行画像のみを印刷する第１印刷モードと、取り込まれた複数の画像の中から少なくとも２つの画像を印刷する第２印刷モードと、を含む少なくとも２つの異なる印刷モードにおいて該プリンタを選択的に制御するユーザコントロールと、
を含むことを特徴とするプリンタ。
【請求項３】
プリントの作成方法であって、
電子カメラを使用して複数の画像を電子的に取り込むステップと、
電子カメラを電子式プリンタに接続するステップと、
前記電子式プリンタのユーザコントロールを使用して、前記デジタルカメラの画像ディスプレイに表示された現行画像のみを印刷する第１印刷モードを選択するステップと、
前記現行画像をプリンタに転送するステップと、
転送された現行画像を印刷するステップと、
ユーザコントロールを使用して、取り込まれた複数の画像の中から少なくとも２つの画像を印刷する第２印刷モードを選択するステップと、
前記少なくとも２つの画像を前記プリンタに転送するステップと、
転送された前記少なくとも２つの画像を印刷するステップと、
を含むことを特徴とするプリントの作成方法。
【発明の詳細な説明】
【技術分野】
【０００１】
本発明は、デジタルカメラとデジタルプリンタを含むカラーデジタル写真システムに関し、より詳細には、画像ディスプレイと、デジタルカメラを制御して印刷対象の画像を選択するためのユーザインタフェースコントロールを含むデジタルプリンタと、を含むデジタルカメラに関する。
【背景技術】
【０００２】
デジタルカメラおよびデジタルプリンタは、イーストマン・コダック社（Ｅａｓｔｍａｎ  Ｋｏｄａｋ  Ｃｏｍｐａｎｙ）や他の多くのメーカーから取得できる。コダックＤＣ２８０カメラなど、現在のデジタルカメラは、単一チップのカラーＣＣＤ画像センサを用いて画像を取り込み、取り込んだ画像を処理して、「仕上がり（ｆｉｎｉｓｈｅｄ）」ＲＧＢ画像を供給し、ＪＰＥＧ圧縮を利用してそのＲＧＢ画像を圧縮し、圧縮された画像を着脱可能なメモリカードに格納する。画像は、カメラ背面のＬＣＤ画像ディスプレイに表示して確認でき、不要な画像を削除することができる。
【０００３】
この時、デジタルカラープリンタ、たとえば、コダックパーソナルピクチャメーカ（Ｋｏｄａｋ  Ｐｅｒｓｏｎａｌ  Ｐｉｃｔｕｒｅ  Ｍａｋｅｒ）ＰＭ１００などにメモリカードを配置できる。このプリンタは、周知のコンパクトフラッシュ（登録商標）や、スマートメディアフラッシュＥＰＲＯＭのメモリカードに対応するメモリカードスロットを含む。カードはカメラから取り外され、プリンタ内に配置される。プリンタは、単色ＬＣＤ状態ディスプレイと複数のボタンを含み、これらがユーザインタフェースとして機能する。これらのボタンは、ユーザが、メモリカード上の全画像のコピーを１つ以上作成すること、および各種プリンタ機能を選択することを可能にする。プリントは、専用に設計された写真用インクジェット用紙に刻印を行うカラーインクジェットヘッドを使用して作成される。
【０００４】
【特許文献１】米国特許第５１６４８３１号明細書
【特許文献２】米国特許第５４７７２６４号明細書
【発明の開示】
【発明が解決しようとする課題】
【０００５】
プリンタが高価なカラー画像ディスプレイを備えなくとも、簡単に画像を印刷対象に選択できるようにすると共に、単一画像を簡単に印刷できる印刷モードと複数の画像を印刷する他のモードとを提供するプリンタＧＵＩ（グラフィカルユーザインタフェース）を提供することを課題とする。
【課題を解決するための手段】
【０００６】
本発明は、デジタルカメラと、デジタル式または電子式のプリンタと、を含む写真システムを提供する。本デジタル写真システムは、画像を取り込むデジタルカメラと、ハードコピープリントを作成するデジタルプリンタと、を含む。カメラは、画像を取り込むための画像センサと、取り込まれた複数の画像を保存するメモリと、保存された画像を表示するディスプレイと、を含む。プリンタは、プリント上に画像を供給するように構成されたマーキング装置と、カメラからプリンタに画像を転送する電気的接続と、デジタルカメラの画像ディスプレイに現在表示されている画像のみを印刷する第１印刷モードと、取り込まれた複数の画像の中から少なくとも２つの画像を印刷する第２印刷モードと、を含む少なくとも２つの異なるモードにおいてプリンタを選択的に制御するユーザコントロールと、を備える。
【０００７】
本発明は、更に、ハードコピープリントを作成するように構成されたプリンタを提供する。このプリンタは、画像ディスプレイを有するデジタルカメラをプリンタに接続し、デジタルカメラのデジタルメモリに保存された複数の取り込み画像をプリンタに転送する用途に適合するインタフェース機構と、デジタルカメラの画像ディスプレイに現在表示されている画像のみを印刷する第１印刷モードと、取り込まれた複数の画像の中から少なくとも２つの画像を印刷する第２印刷モードとを含む少なくとも２つの異なるモードにおいて、プリンタを選択的に制御するユーザコントロールと、を備える。
【０００８】
本発明は、また、プリントの作成方法を提供する。この方法は、電子カメラを使用して複数の画像を電子的に取り込むステップと、電子カメラを電子式プリンタに接続するステップと、電子式プリンタのユーザコントロールを使用して、デジタルカメラの画像ディスプレイに現在表示されている画像のみを印刷する第１印刷モードを選択するステップと、現在の画像をプリンタに転送するステップと、転送された現在の画像を印刷するステップと、ユーザコントロールを使用して、取り込まれた複数の画像から少なくとも２つの画像を印刷する第２印刷モードを選択するステップと、前記少なくとも２つの画像をプリンタに転送するステップと、転送された少なくとも２つの画像を印刷するステップと、を含む。
【発明を実施するための最良の形態】
【０００９】
図面を参照して説明する。図面において、同様の参照番号は、複数の図で同一の部品または対応する部品を表す。図１および図３Ａに、デジタルカメラ３００が示されている。デジタルカメラ３００は、図１に示すように、デジタル記憶媒体、たとえば、メモリカード３３０など、に画像を保存する。保存された画像は、カラーＬＣＤ画像ディスプレイ３３２に表示できる。図２および図３Ｂに詳細を示したデジタルプリンタ４００は、インクジェットヘッドなどのカラーマーキング装置４１２および媒体移送機構４１０を使用してカラーハードコピープリントを作成する。デジタルプリンタ４００は、デジタルカメラ３００から画像を転送し、カメラのカラーＬＣＤ画像ディスプレイ３３２に表示された画像を制御するカメラ接続部４２２、たとえば、ＵＳＢインタフェースなどを含む。図２に示すように、デジタルプリンタ４００は、デジタルカメラ３００内のメモリカード３３０に保存された複数のデジタル画像の中から印刷する特定の画像を選択するユーザコントロール４３０を内蔵する。デジタルプリンタ４００のユーザコントロール４３０は、特に、プリンタ４００を簡単に制御できることに注目して配置されるが、これは、携帯用の小型デジタルカメラ、たとえば、デジタルカメラ３００など、に合わせてこのユーザコントロール４３０を小型化する必要がないためである。
【００１０】
図１を参照して詳細に説明する。図１は、デジタル画像を取り込んで、デジタル記憶媒体、たとえば、メモリカード３３０など、に保存する電子カメラ３００を示すブロック図である。図３Ａは、電子カメラ３００背面の外観を示す図である。電子カメラ３００は、ズームとフォーカスのモータ駆動部３１０および調整可能なレンズ口径を有するズームレンズ３１２と、シャッタ（図示せず）と、を含む。ユーザは、図３Ａに示される光学式ビューファインダ３１１と、ズームレンズ制御スイッチ３７２とを利用して画像の構図を決定する。ズームレンズ３１２は、画像センサ３１４、たとえば、単一チップのカラーＣＣＤ画像センサ上の光景（図示せず）から、周知のバイエル（Ｂａｙｅｒ）カラーフィルタパターンを用いて光を集める。画像センサ３１４は、クロックドライバ３０６によって制御される。ズームとフォーカスのモータ３１０およびクロックドライバ３０６は、制御プロセッサとタイミング発生器回路３０４から供給される制御信号によって制御される。ユーザがシャッタボタン３７４（図３Ａ参照）を押して写真を撮影すると、制御プロセッサとタイミング発生器３０４が、自動焦点および自動露光検出器３０８からの入力を受け取り、フラッシュ３０２を制御する。画像センサ３１４からのアナログ出力信号は、アナログ信号処理（ＡＳＰ）とアナログ／デジタル（Ａ／Ｄ）変換器回路３１６によって、増幅されてデジタルデータに変換される。デジタルデータは、ＤＲＡＭバッファメモリ３１８に保存され、続いて、ファームウェアメモリ３２８に格納されたファームウェアによって制御されるカメラプロセッサ３２０によって処理される。このファームウェアメモリ３２８は、フラッシュＥＰＲＯＭメモリであってもよい。
【００１１】
デジタルカメラ３００の電源は、充電式電池３６０から電源供給回路３６２を介して供給される。充電式電池３６０は、コネクタ３５２によって供給される電源から充電する実施形態とすることもできる。
【００１２】
処理されたデジタル画像ファイルは、デジタル画像ファイルをメモリカード３３０に保存するカメラメモリカードインタフェース３２４に供給される。本明細書において例として記述する着脱可能なメモリカード３３０は、当業者には周知のものであり、デジタル記憶媒体の１種である。メモリカード３３０は、コンパクトフラッシュ（登録商標）インタフェース規格、たとえば、カリフォルニアのコンパクトフラッシュ（登録商標）協会、パロアルト（Ｃｏｍｐａｃｔ  Ｆｌａｓｈ  Ａｓｓｏｃｉａｔｉｏｎ，  Ｐａｌｏ  Ａｌｔｏ）によって１９９８年８月５日に発行されたコンパクトフラッシュ（登録商標）規格バージョン１．３（ＣｏｍｐａｃｔＦｌａｓｈ  Ｓｐｅｃｉｆｉｃａｔｉｏｎ  Ｖｅｒｓｉｏｎ  １．３）に記載された規格など、に準拠させることができる。また別の選択肢として、着脱可能なメモリカードは、ＰＣＭＣＩＡ、スマートメディア、メモリスティック、またはＳＤメモリカードのフォーマットに準拠させることもできる。本発明は、メモリカードに限定されるものではなく、代わりに別のタイプのデジタル記憶媒体、たとえば、磁気ハードドライブ、磁気テープ、または光ディスクなどを利用して、デジタル画像を保存できる。また、着脱可能なメモリカード３３０の代用として、あるいは、更に追加する形で内部フラッシュメモリを利用して、取り込まれた画像を保存してもよい。
【００１３】
プロセッサ３２０は、色補間に続いて色と色調の補整を行って、ＩＥＣ６１９６６−２−１マルチメディアシステムおよび装置−色の測定と管理−２−１部：色の管理−デフォルトＲＧＢ色空間−ｓＲＧＢ（Ｍｕｌｔｉｍｅｄｉａ  ｓｙｓｔｅｍｓ  ａｎｄ  ｅｑｕｉｐｍｅｎｔ−Ｃｏｌｏｕｒ  ｍｅａｓｕｒｅｍｅｎｔ  ａｎｄ  ｍａｎａｇｅｍｅｎｔ−Ｐａｒｔ  ２−１：  Ｃｏｌｏｒ  ｍａｎａｇｅｍｅｎｔ−Ｄｅｆａｕｌｔ  ＲＧＢ  ｃｏｌｏｕｒ  ｓｐａｃｅ−ｓＲＧＢ）に定義された描画済みｓＲＧＢ画像データを作成する。ＩＥＣ６１９６６−２−１は、スイスのジュネーブを拠点とする国際電気標準会議（Ｉｎｔｅｒｎａｔｉｏｎａｌ  Ｅｌｅｃｔｒｏｔｅｃｈｎｉｃａｌ  Ｃｏｍｍｉｓｓｉｏｎ）から取得できる。描画済みｓＲＧＢ画像データは、次に、ＪＰＥＧ圧縮され、デジタルスチルカメラ用画像ファイルフォーマット規格（Ｄｉｇｉｔａｌ  Ｓｔｉｌｌ  Ｃａｍｅｒａ  Ｉｍａｇｅ  Ｆｉｌｅ  Ｆｏｒｍａｔ  Ｓｔａｎｄａｒｄ）のＥｘｉｆ（Ｅｘｃｈａｎｇｅａｂｌｅ  Ｉｍａｇｅ  Ｆｉｌｅ  Ｆｏｒｍａｔ  ｆｏｒ  Ｄｉｇｉｔａｌ  Ｓｔｉｌｌ  Ｃａｍｅｒａ）Ｖｅｒｓｉｏｎ  ２．１、ＪＥＩＤＡ−４９−１９９８に規定されたＪＰＥＧ／Ｅｘｉｆ  ｖｅｒｓｉｏｎ  ２．１画像ファイルを利用してＪＰＥＧ画像ファイルとしてメモリカード３３０に保存される。この規格は、日本の東京を拠点とする社団法人  電子情報技術産業協会（ＪＥＩＴＡ）から入手できる。ＪＰＥＧ／Ｅｘｉｆ画像ファイルは、画像処理機能を持つ各種多数の装置、たとえば、コンピュータ、独立型のプリンタなどで利用できる。
【００１４】
プロセッサ３２０は、また、「サムネイル（ｔｈｕｍｂｎａｉｌ）」サイズの画像も作成する。この点については、本願と同一出願人（クシュタ（Ｋｕｃｈｔａ））他による米国特許第５，１６４，８３１号明細書「完全および縮小解像度画像の多フォーマット記憶装置を提供する電子スチルカメラ（Ｅｌｅｃｔｒｏｎｉｃ  ｓｔｉｌｌ  ｃａｍｅｒａ  ｐｒｏｖｉｄｉｎｇ  ｍｕｌｔｉ−ｆｏｒｍａｔ  ｓｔｏｒａｇｅ  ｏｆ  ｆｕｌｌ  ａｎｄ  ｒｅｄｕｃｅｄ  ｒｅｓｏｌｕｔｉｏｎ  ｉｍａｇｅｓ）」に記載されている。サムネイル画像は、ＲＡＭメモリ３２６に格納され、カラーＬＣＤ画像ディスプレイ３３２に供給される。このディスプレイ３３２は、取り込まれた画像をユーザが見られるように表示する。ユーザコントロール３０３と、ディスプレイ３３２に表示されたテキスト、アイコン、画像は、カメラのグラフィカルユーザインタフェース（カメラＧＵＩ）を提供する。図３Ａに示すように、ユーザコントロール３０３は、複数の小型ボタン３８０，３８２，３９４，３９６，３９８と、取り込み／再表示モードスイッチ３８６と、を含む。これらのコントロールは、カメラ３００の背面に適合するように小型化される必要があると共に、写真撮影動作の邪魔にならない配置に構成されなければならない。モードスイッチ３８６を取り込み位置にして、シャッタボタン３７４を繰り返し押すことによって一連の画像が撮影された後、モードスイッチ３８６を再表示位置に切り換えると、取り込まれた画像をカラーＬＣＤ画像ディスプレイ３３２で見ることができる。
【００１５】
カメラがプリンタとは別個に動作している時、カメラのグラフィカルユーザインタフェースは、ファームウェアメモリ３２８に格納されたファームウェアのユーザインタフェース部によって制御される。このユーザインタフェース部が、ユーザコントロール３０３に対するプロセッサ３２０の応答方法およびディスプレイ３３２に表示された情報の作成方法を制御する。ディスプレイ３３２は、アクティブマトリクス型カラーＬＣＤディスプレイであってもよい。あるいは、ディスプレイ３３２に他のディスプレイ技術、たとえば、有機発光ダイオード（ＯＬＥＤ）などを利用してもよい。電子カメラ３００は、取り込まれた画像をテレビ（図示せず）に表示するためのビデオ出力ドライバおよびコネクタ（図示せず）を含んでもよい。カメラ３００は、ファームウェアメモリ３２８に格納されたファームウェアを備えてもよい。このファームウェアによって画像プロセッサ３２０を制御し、ユーザが、画像活用ファイル、すなわち、印刷指示ファイル（たとえば、ＤＰＯＦ（Ｄｉｇｉｔａｌ  Ｐｒｉｎｔ  Ｏｒｄｅｒ  Ｆｏｒｍａｔ）ファイルなど）を作成して、印刷する画像を指定できるようにする。印刷活用ファイルを含め、このような活用ファイルは、２００３年６月３日にパルルスキー（Ｐａｒｕｌｓｋｉ）に発行された米国特許第６，５７３，９２７号明細書に記載されている。印刷指示ファイルとも呼ばれる印刷活用ファイルは、取り込まれた画像をディスプレイ３３２上に再表示しながら、ユーザがユーザコントロール３０３を利用して印刷する画像を選択した時に作成され、画像ファイルと共にメモリカード３３０に保存される。印刷指示ファイルは、印刷に選択された取り込み画像と、選択された各画像を印刷する部数と、を示すテキストファイルであってもよい。印刷指示ファイルは、更に、印刷される各画像に選択されたプリントサイズを示す情報を含むこともできる。
【００１６】
一連の画像が撮影され、メモリカード３３０に保存された後、カメラ３００は、図３Bに示されるデジタルプリンタ４００の窪み４５０に挿入される。プリンタ４００は、デジタルカメラ３００のコネクタ３５２と結合するコネクタ４５２を含んでおり（図１および図２）、デジタルカメラ３００のプリンタインタフェース３２２とデジタルプリンタ４００のカメラインタフェース４２２を電気的に相互接続する。電子カメラ３００とデジタルプリンタ４００の間の電気的接続部３４２としては、任意の周知のインタフェース、たとえば、ＵＳＢ（ｕｎｉｖｅｒｓａｌ  ｓｅｒｉａｌ  ｂｕｓ）インタフェース規格、ＩＥＥＥ１３９４インタフェース規格、または他のケーブル接続やカード接続の規格を利用してもよい。
【００１７】
図２は、デジタルプリンタ４００のブロック図である。図３Ｂは、デジタルプリンタ４００の外観を示す図である。デジタルプリンタ４００は、電子カメラ３００から接続部３４２を介してメモリカード３３０に提供された画像からデジタルプリント（図示せず）を作成する。デジタルプリンタ４００は、媒体移送機構４１０、たとえば、モータ駆動式ローラなどを含み、プリンタプロセッサ４２０の制御下でハードコピー媒体（たとえば、インクジェット用紙）を移送してマーキング装置４１２（たとえば、カラーインクジェットヘッド）を通過させる。プロセッサ４２０は、マーキング装置４１２を制御して、調整された量の各種カラーインクまたは染料を供給し、ハードコピー媒体上に写真画像を作成する。カラーマーキング装置４１２は、別の方法として、カラー感熱染料昇華（ｃｏｌｏｒ  ｔｈｅｒｍａｌ  ｄｙｅ  ｓｕｂｌｉｍａｔｉｏｎ）、カラー電子写真技法、またはカラーインスタント技術を利用して、デジタルプリントを作成してもよい。図３Ｂに示すように、デジタルプリンタ４００は、前記プリントをデジタルプリンタ４００から排出できる用紙排出溝４１６と、インクまたは染料を交換する（たとえば、カラーインクジェットカートリッジを交換する）ために開閉できるアクセス扉４１４と、を含む。プリンタ４００は、また、電源コード入力（図示せず）によってプリンタ４００に供給される電源のオンとオフを切り換える電源スイッチ４３１を含む。
【００１８】
デジタルプリンタ４００は、プリンタのユーザコントロール４３０によって制御される。ユーザコントロール４３０と、デジタルカメラ３００のカラーＬＣＤ画像ディスプレイ３３２に表示されたテキスト、アイコン、画像は、プリンタのグラフィカルユーザインタフェース（プリンタＧＵＩ）を提供する。プリンタＧＵＩは、プリンタファームウェアメモリ４２８に格納されたファームウェアのユーザインタフェース部によって制御される。このユーザインタフェース部は、ユーザコントロール４３０およびカメラのファームウェアメモリ３２８に格納されたファームウェアのカラーＬＣＤ画像ディスプレイ制御部に対する応答方法を制御し、カラーＬＣＤ画像ディスプレイ制御部は、画像プロセッサ３２０がカラーＬＣＤ画像ディスプレイ３３２に表示された情報を作成する方法を制御する。
【００１９】
電子カメラ３００によって作成された画像ファイルはＪＰＥＧ／Ｅｘｉｆ画像形式を利用しており、この画像ファイルはＪＰＥＧ形式で圧縮されているため、デジタルプリンタ４００においてプロセッサ４２０によって圧縮解除される必要がある。また、プロセッサ４２０は、補間、シャープニング、色修正、階調化を提供して、マーキング装置４１２で利用される画像データを適切に準備する。プロセッサ４２０は、ファームウェアメモリ４２８に格納されたファームウェアによって制御される。あるいは、別の方法として、この処理をカメラ３００の画像プロセッサ３２０で行って、デジタルプリンタ４００のプロセッサ４２０に求められる性能およびコストを削減することもできる。
【００２０】
メモリカード３３０に保存されている画像をカラーＬＣＤ画像ディスプレイ３３２に速やかに表示できるようにするため、画像プロセッサ３２０は、メモリカード３３０に供給された画像から「サムネイル」サイズの画像をダウンロードする。これらのサムネイル画像は、ＲＡＭメモリ３２６に保存されており、そこからディスプレイ３３２に供給されるため、ユーザは、プリンタ４００のユーザコントロール４３０を利用して印刷対象の画像を選択できる。デジタルプリンタ４００が手持ち式の装置である必要はないため、デジタルプリンタ４００のユーザコントロール４３０は、デジタルカメラ３００のユーザコントロールよりかなり大きい。また、ユーザコントロール４３０は、使い易さを追求した配置に構成し、ラベル付けすることもできる。
【００２１】
図４は、プリンタのユーザコントロール４３０を更に詳細に示す図である。ユーザコントロール４３０は、メニューボタン４４０と、選択ボタン４４２と、表示／復帰ボタン４４４と、印刷ボタン４４６と、左向き矢印ボタン４５２、上向き矢印ボタン４５４、右向き矢印ボタン４５６、下向き矢印ボタン４５８を有するカーソルボタン４５０と、を含む。プリンタのユーザコントロール４３０とカラーＬＣＤ画像ディスプレイ３３２は、プリンタのグラフィカルユーザインタフェース（プリンタＧＵＩ）を提供する。
【００２２】
また、カメラ３３０については、更に、ネットワークサービスプロバイダ１０００（図２）、たとえば、インターネットなど、とモデム１００１を介して通信するように構成し、カメラへの画像の電子転送を可能にしてもよいし、あるいは、ＰＣインタフェース２０００を介してコンピュータと通信するように構成して、パーソナルコンピュータから画像を受け取れるようにしてもよい。これらの構成によって、ユーザは、インターネットまたはコンピュータからカメラに画像を読み込むことができる。プリンタ４００に接続されたカメラでは、読み込まれた画像をカメラの画像ディスプレイ３３２に表示しながら、ユーザがプリンタ４００のユーザコントロール４３０を利用して操作できる。あるいは、モデムまたはコンピュータへの接続を、プリンタを介して行うこともできる。
【００２３】
プリンタＧＵＩは、プリンタ４００を制御するために使用され、図５に示す一般的なワークフローを実現する。このワークフローは、図６Ａ〜図６Ｊに示した各種プリンタＧＵＩ画面を利用する多数のプリンタモード５００〜５１８を含む。これらのプリンタＧＵＩ画面は、デジタルカメラ３００のカラーＬＣＤ画像ディスプレイ３３２に表示される。このモードは、図６Ａに示すプリンタＧＵＩ画面を使用するアイドル（Ｉｄｌｅ）モード５００と、図６Ｂに示すプリンタＧＵＩ画面を使用する印刷フォト（Ｐｈｏｔｏｓ  ｔｏ  Ｐｒｉｎｔ）モード５０２と、図６Ｃに示すプリンタＧＵＩ画面を使用する印刷中（Ｐｒｉｎｔｉｎｇ  ｉｎ  Ｐｒｏｃｅｓｓ）モード５０４と、図６Ｄに示すプリンタＧＵＩ画面を使用するレイアウト（Ｌａｙｏｕｔ）モード５０５と、を含む。また、モードは、図６Ｅに示すプリンタＧＵＩ画面を使用するフルフォト表示（Ｆｕｌｌ  Ｐｈｏｔｏ  Ｖｉｅｗ）モード５０８と、図６Ｆに示すプリンタＧＵＩ画面を使用するページプレビュー（Ｐａｇｅ  Ｐｒｅｖｉｅｗ）モード５０６と、図６Ｇに示すプリンタＧＵＩ画面を使用するメインメニュー区分（Ｍａｉｎ  Ｍｅｎｕ  Ｃａｔｅｇｏｒｉｅｓ）モード５１０と、を含む。
【００２４】
また、モードは、図６Ｂに示すプリンタＧＵＩ画面を使用するフォト（Ｐｈｏｔｏｓ）サブモードと、図６Ｄに示すプリンタＧＵＩ画面を使用するレイアウト（Ｌａｙｏｕｔ）サブモードと、を有する印刷設定（Ｐｒｉｎｔ  Ｓｅｔｕｐ）モード５１２を含む。また、モードは、図６Ｈに示すプリンタＧＵＩ画面を使用する用紙サイズ（Ｐａｐｅｒ  Ｓｉｚｅ）サブモードと、図６Ｉに示すプリンタＧＵＩ画面を使用する用紙書式（Ｐａｐｅｒ  Ｆｏｒｍａｔ）サブモードと、を有する用紙設定（Ｐａｐｅｒ  Ｓｅｔｔｉｎｇｓ）モード５１４を含む。プリンタモードは、また、図６Ｊに示すプリンタＧＵＩ画面を使用するトリミング（Ｃｒｏｐ）サブモードと、図６Kに示すプリンタＧＵＩ画面を使用する回転（Ｒｏｔａｔｅ）サブモードと、図６Ｌに示すプリンタＧＵＩ画面を使用するフレーム追加（Ａｄｄ  Ｆｒａｍｅ）サブモードと、図６Ｍに示すプリンタＧＵＩ画面を使用するテキスト追加（Ａｄｄ  Ｔｅｘｔ）サブモードと、図６Ｎに示すプリンタＧＵＩ画面を使用する輝度変更（Ｃｈａｎｇｅ  ｂｒｉｇｈｔｎｅｓｓ）サブモードと、を有する編集（Ｅｄｉｔｓ）モード５１６を含む。また、プリンタモードは、図６Ｏに示すプリンタＧＵＩ画面を使用するカード消去サブモードと、図６Ｐに示すプリンタＧＵＩ画面を使用するインクレベル（Ｉｎｋ  Ｌｅｖｅｌ）サブモードと、図６Ｑに示すプリンタＧＵＩ画面を使用するユーザデフォルトレイアウト（Ｕｓｅｒ  Ｄｅｆａｕｌｔ  Ｌａｙｏｕｔ）サブモードと、を有するユーィテリティ（Ｕｔｉｌｉｔｉｅｓ）モード５１８を含む。
【００２５】
図４に示すメニューボタン４４０は、ページプレビューモード５０６またはフルフォト表示モード５１０と、メインメニュー区分モード５１０の間を切り換える。印刷される特定の画像を選択するには、フルフォト表示モード５８０で選択ボタン４４２を使用して、印刷される画像のオンとオフを切り換える。メニューモード５１０，５１２，５１４，５１６，５１８において、ユーザは、選択ボタン４４２を使用して、サブメニューに進むか、あるいはメニュー設定を受け入れることができる。表示／復帰ボタン４４４は、ページプレビューモード５０６とフルフォト表示モード５０８の間でモードを切り換えるのに使用される。メニューモード５１０，５１２，５１４，５１６，５１８において、表示／復帰ボタン４４４は、変更した設定を保持せずに、ユーザが前のメニューレベルに戻れるようにする。
【００２６】
印刷ボタン４４６は、印刷手続を開始する。デジタルカメラ３００のメモリカードインタフェース３２４に接続されたメモリカード３３０が存在しない場合、またはデジタルカメラ３００が、インタフェース３４２を用いてデジタルプリンタ４００に接続されていない場合は、印刷ボタン４４６を押すと、テスト印刷が始まる。デジタルカメラ３００にメモリカード３３０が挿入されており、一方でデジタルカメラ３００がインタフェース３４２を用いてデジタルプリンタ４００に接続されている場合は、印刷ボタン４４６を押すことによって、現在のプリンタ設定を利用した印刷が始まる。
【００２７】
図６Ｅに示すディスプレイ画面に対応するフルフォト表示モード５０８において、ユーザは、カーソルの左向き矢印４５２とカーソルの右向き矢印４５６を使用して、表示する写真を切り換えることができ、カーソルの上向き矢印４５４とカーソルの下向き矢印４５８を使用して、画像ごとにコピー数を選択できる。図６Ｆのディスプレイ画面に対応するページプレビューモード５０６において、ユーザは、カーソルの左向き矢印４５２とカーソルの右向き矢印４５６を使用して、表示するページを切り換えられる。メニューモード５１０，５１２，５１４，５１６，５１８において、カーソルボタン４５０は、表示するメニューの切り換えに使用される。
【００２８】
ここで、図６Ａに戻って説明する。アイドル画面６００は、現在のプリンタパラメータ設定についての関連情報を提供するために用いられる。これらのパラメータは、レイアウトと、用紙サイズと、用紙タイプと、印刷品質と、を含む。ユーザ定義によるデフォルト設定（図６Ｑを参照して後述する）は、ユーザが別の選択を行ってこのデフォルト設定を書き換えない限り継続して使用される。アイドル画面６００は、単純に図４の印刷ボタン４４６のみを押した場合に使用される設定をユーザが直ちに把握できるようにする。このことは、ユーザが暫くの間プリンタを使用しなかったり、あるいは、プリンタパラメータ設定を忘れたりした場合に大いに便利である。設定が適切ならば、ユーザは、着脱可能なメモリカード３３０をデジタルカメラ３００に挿入し、プリンタＧＵＩとの追加の対話操作なしで直ちに印刷を行ってもよい。また、このアイドル画面は、プリンタを表すアイコン６０２を表示して、この画面が図６Ｂ〜図６Ｎに示したパラメータ設定画面のようなパラメータ設定画面ではないということを即座に区別できるようにする。
【００２９】
図６Ｂは、ユーザがメモリカードインタフェース３２４にメモリカード３３０を挿入した時にカラーＬＣＤ画像ディスプレイ３３２に表示される最初のスタートアップＧＵＩ画面６０４を示す。ＧＵＩ画面６０４が提供するのは、印刷に関する単純な方法で、「すべて印刷（Ｐｒｉｎｔ  Ａｌｌ）」オプションを利用して、メモリカード３３０に保存されたすべての画像を印刷する方法、または、「印刷指示（Ｐｒｉｎｔ  Ｏｒｄｅｒ）」オプションを利用して、画像と共にメモリカード３３０に保存された画像活用ファイルに指定されている画像を印刷する方法のいずれかである。また、ユーザは、「索引印刷（Ｐｒｉｎｔ  Ｉｎｄｅｘ）」オプションを利用して、メモリカード３３０に保存されたすべての画像の縮小版を含む索引印刷を行える。これら３種類すべての場合において、デジタルプリンタ４００のプロセッサ４２０は、デジタルカメラ３００のプロセッサ３２０に命令して、デジタルカメラ３００のカラー画像ディスプレイ３３２に表示されたプリンタＧＵＩ画面を更新し、図６Ｃに示したＧＵＩ画面６０６を提供する。最後の選択肢として、ユーザは、図６Ｂの「再表示と選択（Ｒｅｖｉｅｗ  ａｎｄ  Ｃｈｏｏｓｅ）」オプションを選択して、印刷する特定の画像を選択できる。この場合、デジタルプリンタ４００のプロセッサ４２０は、デジタルカメラ３００のプロセッサ３２０に命令して、デジタルカメラ３００のカラー画像ディスプレイ３３２に表示されたプリンタＧＵＩ画面を更新し、図６Ｄに示したＧＵＩ画面６１２を提供する。
【００３０】
図６Ｃは、「印刷中」のＧＵＩ画面６０６を示す図である。この画面は、画像の印刷に使用されるパラメータ設定のリストを表示する。また、このＧＵＩ画面は、現時点で印刷が完了しているページの割合を視覚的に示す進行状況バー６０８を含む。最後に、このＧＵＩ画面６０６は、ユーザによる選択時に印刷処理を停止する「中止（Ｃａｎｃｅｌ）」オプション６１０を含む。
【００３１】
図６Ｄは、レイアウトのスタートアップ画面６１２を示す。この画面は、印刷されたページに写真がどのように配置されるのかをユーザが詳細に選択できるようにする。ユーザは、カーソル４５０の上向きボタン４５４および下向きボタン４５８を使用して、オプション６１４または６１６を選択できる。一般区分オプション６１４は、印刷形式の一般的な区分を表す。矢印６２０と６２２が可視状態である場合、ユーザは、図４のカーソルの右向き矢印４５６と左向き矢印４５２を使用して、利用可能な他の印刷形式設定を表示できる。これらの印刷形式は、一般的なフォトサイズ（Ｐｈｏｔｏ  Ｓｉｚｅｓ）（たとえば、８×１０インチや、４×６インチサイズの画像）に加え、特定の形式を持つ媒体の識別子（たとえば、定義されたテンプレート番号）を含む。この識別子は、特定の用紙サイズおよびレイアウト詳細、たとえば、用紙にミシン目がある場合のミシン目の位置などを指定する。プリンタ４００のファームウェアメモリ４２８は、各媒体の識別子に対応する用紙サイズおよびレイアウト情報を保存し、ユーザによるこのような媒体の利用を簡略化する。オプションリスト６１６にリスト表示された特定のオプションは、ユーザによって選択された一般区分（ＧｅｄｎｅｒａｌＣａｔｅｇｏｒｙ）６１４、たとえば、利用可能なフォトサイズ（たとえば、５×７インチ、４×６インチなど）に利用できる特定のオプションを提供する。特定オプションのリスト６１６の下は、現在選択されているレイアウト、並びに現在の用紙サイズや用紙タイプの設定６１９のグラフィック表現６１８である。たとえば、グラフィック表現６１８は、２つの５×７インチ画像が８．５×１１インチサイズの用紙に印刷されることを示す。
【００３２】
ユーザが図６ＤのＧＵＩ画面６１２を使用して好みのレイアウトを選択し、選択ボタン４４２を押すと、デジタルプリンタ４００のプロセッサ４２０がデジタルカメラ３００のプロセッサ３２０に命令して、デジタルカメラ３００のカラー画像ディスプレイ３３２に表示されたプリンタＧＵＩ画面を更新し、図６Ｅに示すＧＵＩ画面６２４を提示する。画面６２４の最上部は、特定の写真６３６を描画するサムネイル画像に重ね合わされる写真番号６３０と、コピー数６３２と、を含む関連情報を提供する。画面端部に配された左向き矢印６３８と右向き矢印６４０は、ユーザが、図４に示したカーソル４５０の左向き矢印４５２と右向き矢印４５６を押して、取り外し可能なメモリ３３０に保存された他のデジタル画像をスクロールすると、別の画像を表示できることをユーザに対して示す。チェック印６３４は、画像６３６が印刷対象に選択されているかどうかを示す。選択ボタン４４２を押すことにより、ユーザは、特定の画像６３６について、印刷する、または印刷しないを切り換えることができる。矢印６２８は、図４のカーソル４５０の上向き矢印４５４と下向き矢印４５８を押して、特定画像６３６の印刷枚数を変更できることをユーザに示す。画像６３６がユーザによって既に編集されている場合（図６Ｊ〜図６Ｎを参照しながら後述する）は、ＧＵＩ画面６２４内でアイコン６２６が可視状態になる。ユーザが表示／復帰ボタン４４４を押すと、デジタルプリンタ３００のプロセッサ４２０がデジタルカメラ３００のプロセッサ３２０に命令して、デジタルカメラ３００のカラー画像ディスプレイ３３２に表示されたプリンタＧＵＩ画面を更新し、図６Ｆに示すＧＵＩ画面６４２を提示する。
【００３３】
図６Ｆは、ページプレビューのＧＵＩ画面６４２を示す図である。この画面で、ユーザは、プリント全体の外観を確認できる。単一ページ６４８がＧＵＩ画面６４２に表示されているが、このページ６４８は、複数の画像、たとえば、ページ６４８に示されているような４つの異なる画像を含んでもよい。左向き矢印６４４と右向き矢印６４６は、図４のカーソル４５０の左向き矢印４５２と右向き矢印４５６を押して別のページを表示できることをユーザに対して示すものである。加えて、用紙のサイズとタイプ６５２と、現在の番号と印刷される他のページの合計枚数６５０もＧＵＩ画面６４２に表示される。
【００３４】
ユーザが図４のメニューボタン４４０を押すと、デジタルプリンタ４００のプロセッサ４２０がデジタルカメラ３００のプロセッサ３２０に命令して、デジタルカメラ３００のカラー画像ディスプレイ３３２に表示されたプリンタＧＵＩ画面を更新し、図６Ｇに示すＧＵＩ画面６５４を提示する。アイコン６５６，６５８，６６０は、一般的なメニュー区分を表す。たとえば、アイコン６５６は、図５の印刷設定区分のモード５１２を表し、アイコン６５８は、図５の用紙設定区分のモード５１４を表し、アイコン６６０は、図５の編集区分のモード５１６を表す。一般メニュー区分（たとえば、図５の印刷設定区分のモード５１２）が選択されると、ユーザは、その区分に関連のある特定のサブメニューオプション（たとえば、フォトまたはレイアウト）を選択できる。図５には、メインメニュー区分とサブメニューオプションのリストが示されている。矢印キー６５９は、ユーザに対して、図４のカーソル４５０の下向き矢印４５８を押して、別の一般メニュー区分（たとえば、ユーティリティ区分のモード５１８）を選択できることを示す。
【００３５】
ユーザが用紙サイズサブメニューを選択すると、デジタルプリンタ４００のプロセッサ４２０が、デジタルカメラ３００のプロセッサ３２０に命令して、デジタルカメラ３００のカラー画像ディスプレイ３３２に表示されたプリンタＧＵＩ画面を更新し、図６Ｈに示すＧＵＩ画面６６２を提示する。チェック印６６４は、現在の用紙サイズ設定を示す。ユーザは、図４の上向き矢印４５４と下向き矢印４５８を使用して別の用紙サイズを強調表示し、異なる用紙サイズを選択できる。その後、選択ボタン４４２を押すことにより、ユーザは、新たに強調表示された用紙サイズを選択して、用紙サイズ設定を変更できる。プロセッサ４２０は、ここで、新たに選択された用紙サイズ設定をデジタルプリンタ４００のファームウェアメモリ４２８に保存すると共に、デジタルカメラ３００の画像プロセッサ３２０に命令して、カラー画像ディスプレイ３３２に表示されたＧＵＩ画面を用紙設定サブメニュー（図示せず）に更新する。選択ボタン４４２を押す代わりに、表示／復帰ボタン４４４を押した場合、ユーザは、用紙サイズサブメニューを終了できる。この時、プロセッサ４２０は、ファームウェアメモリ４２８に保存されている現在の設定を修正しない。
【００３６】
ユーザが用紙書式サブメニューを選択すると、デジタルプリンタ４００のプロセッサ４２０は、デジタルカメラ３００のプロセッサ３２０に命令して、デジタルカメラ３００のカラー画像ディスプレイ３３２に表示されたプリンタＧＵＩ画面を更新し、図６Ｉに示すＧＵＩ画面６６６を提示する。ＧＵＩ画面６６６は、現在選択されている媒体識別子６７４を示す。左向き矢印６６８と右向き矢印６７０は、図４のカーソル４５０の左向き矢印４５２と右向き矢印４５６を押して別の媒体オプションを表示できることをユーザに示すものである。ＧＵＩ画面６６６は、また、現在選択されている媒体のグラフィック表現６７２を含む。このことは、ユーザが、現在選択されている媒体の重要な特性を簡単に視覚化できるようにする。たとえば、現在選択されている媒体が、ミシン目付き５×７インチの２枚のプリントを８．５×１１インチサイズの用紙シートに提供する場合、ユーザは、選択された媒体識別子６７４に対応するグラフィック表現６７２を見て、この設定を認識できる。
【００３７】
ユーザがトリミングサブメニューを選択すると、デジタルプリンタ４００のプロセッサ４２０がデジタルカメラ３００のプロセッサ３２０に命令して、デジタルカメラ３００のカラー画像ディスプレイ３３２に表示されたプリンタＧＵＩ画面を更新し、図６Ｊに示すＧＵＩ画面６７４を提示する。メモリカード３３０から読み込まれた現在の画像のトリミング部分は、サムネイル表示でトリミングウィンドウ６８６に表示される。トリミングウィンドウ６８６の外側の画像領域は暗く陰影付けされ、画像のこの領域が印刷されないことを表す。矢印６７６，６７８，６８０，６８２は、カーソル４５０を使用してトリミングウィンドウの位置を変更し、印刷される画像領域を変更できることをユーザに示すものである。画像が既にトリミングされている場合は、トリミング取消（Ｕｎｄｏ  Ｃｒｏｐ）オプション６８４を使用して以前のトリミングを取り消すことができる。画像がこれまでにトリミングされていない場合、トリミング取消オプション６８４はＧＵＩ画面６７４に表示されない。ユーザが選択ボタン４４２を押すと、プロセッサ４２０は、現在の画像に対するトリミング設定をファームウェアメモリ４２８に保存する。保存されたこれらの設定は、画像の印刷時に使用される。
【００３８】
ユーザが回転サブメニューを選択すると、デジタルプリンタ４００のプロセッサ４２０がデジタルカメラ３００のプロセッサ３２０に命令して、デジタルカメラ３００のカラー画像ディスプレイ３３２に表示されたプリンタＧＵＩ画面を更新し、図６Ｋに示すＧＵＩ画面６８８を提示する。メモリカード３３０から読み込まれた現在の画像のサムネイル表示が、ウィンドウ６９４に表示される。左向き矢印６９０と右向き矢印６９２は、図４のカーソル４５０の左向き矢印４５２と右向き矢印４５６を押すことにより、画像を９０度ごとに選択的に回転できることをユーザに示すものである。現在選択されている回転設定６９６は、チェック印６９８によって示される。ユーザが別の設定を選択すると、ウィンドウ６９４内の画像の向きも回転するため、ユーザは、回転設定の適用結果を即座に確認できる。取り外し可能なメモリ３３０の画像ファイルに保存されたサムネイル画像データを使用することで、デジタルカメラ３００のプロセッサ３２０は、速やかにサムネイル画像を修正し、ユーザの選択に対する視覚的応答を即座にウィンドウ６９４に表示できるため、ユーザは、選択が適切であるかどうかを瞬時に確認できる。ユーザが選択ボタン４４２を押すと、プロセッサ４２０は、現在の画像に対する方向設定をファームウェアメモリ３２８に保存する。保存された設定は、画像の印刷時に使用される。
【００３９】
ユーザがフレーム追加サブメニューを選択すると、デジタルプリンタ４００のプロセッサ４２０がデジタルカメラ３００のプロセッサ３２０に命令して、デジタルカメラ３００のカラー画像ディスプレイ３３２に表示されたプリンタＧＵＩ画面を更新し、図６Ｌ（ａ）に示すＧＵＩ画面７００を提示する。メモリカード３３０から読み込まれた現在の画像のサムネイル表示が、ウィンドウ７０６に表示される。左向き矢印７０２と右向き矢印７０４は、図４のカーソル４５０の左向き矢印４５２と右向き矢印４５６を押して、各種の修飾フレームを選択できることをユーザに示すものである。現在選択されているフレーム設定７０８は、チェック印７１０によって示される。たとえば、ＧＵＩ画面７００は、フレームが選択されていない状態を表す。ユーザが別のフレームオプションを選択すると、ウィンドウ７０６に表示された画像が更新され、選択されたフレーム内に現在の画像が描かれる。たとえば、図６Ｌ（ｂ）のＧＵＩ画面７１２は、円形フレームが選択された状態を表す。フレームオプションは、デジタルプリンタ４００のファームウェアメモリ４２８、デジタルカメラ３００のファームウェアメモリ３２８、またはメモリカード３３０に保存できる。別の選択肢として、フレームオプションは、メモリカード３３０からデジタルカメラ３００のファームウェアメモリ３２８またはデジタルプリンタ４００のファームウェアメモリ４２８にダウンロードすることもできる。このダウンロードには、本願と同一出願人サーバディカリ（Ｓａｒｂａｄｈｉｋａｒｉ）他による１９９５年１２月１９日付けの米国特許第５，４７７，２６４号明細書「ソフトウェア拡張された着脱式記憶装置を利用した電子撮像システム（Ｅｌｅｃｔｒｏｎｉｃ  ｉｍａｇｉｎｇ  ｓｙｓｔｅｍ  ｕｓｉｎｇ  ａ  ｒｅｍｏｖａｂｌｅ  ｓｏｆｔｗａｒｅ−ｅｎｈａｎｃｅｄ  ｓｔｏｒａｇｅ  ｄｅｖｉｃｅ）」に記載の方法を利用する。ここで、前記特許の開示内容を本願明細書の一部として援用する。取り外し可能なメモリ３３０の画像ファイル内に保存されたサムネイル画像データを修飾フレームのサムネイル画像と共に使用することで、デジタルカメラ３００のプロセッサ３２０は、現在の画像と、現在選択されているフレームとを速やかに組み合わせ、ユーザの選択に対する視覚的応答を即座にウィンドウ７０６に提供できるため、ユーザは、選択が適切であるかどうかを直ちに確認できる。ユーザが図４の選択ボタン４４２を押すと、プロセッサ４２０は、現在の画像に対するフレーム設定を図２のファームウェアメモリ４２８に保存する。保存された設定は、画像の印刷時に使用される。
【００４０】
ユーザがテキスト追加サブメニューを選択すると、デジタルプリンタ４００のプロセッサ４２０は、デジタルカメラ３００のプロセッサ３２０に命令して、デジタルカメラ３００のカラー画像ディスプレイ３３２に表示されたプリンタＧＵＩ画面を更新し、図６Ｍ（ａ）に示すＧＵＩ画面７１４を提示する。メモリカード３３０から読み込まれた現在の画像のサムネイル表示は、ウィンドウ７２０に表示される。左向き矢印７１６と右向き矢印７１８は、図４のカーソル４５０の左向き矢印４５２と右向き矢印４５６を押して、各種のテキストメッセージを選択できることをユーザに示すものである。現在選択されているテキストメッセージ設定７２２は、チェック印７２４によって示される。たとえば、ＧＵＩ画面７１４は、テキストが選択されていない状態を表す。ユーザが別のテキストオプションを選択すると、ウィンドウ７２０内に表示された画像が更新されて、選択されたテキストがその上に配された現在の画像を描画する。たとえば、図６Ｍ（ｂ）のＧＵＩ画面７２６は、テキストメッセージ「Ａｎｎｉｖｅｒｓａｒｙ」が選択された状態を示す。各種のテキストメッセージは、テキストファイルとして、デジタルプリンタ４００のファームウェアメモリ４２８、デジタルカメラ３００のファームウェアメモリ３２８、またはメモリカード３３０に保存できる。メモリカード３３０の画像ファイルに保存されたサムネイル画像データを使用することで、プリンタ４００のプロセッサ４２０は、現在の画像と、現在選択されているテキストメッセージと、を速やかに組み合わせ、ユーザの選択に対する視覚的応答をウィンドウ７２０に即座に提供できるため、ユーザは、選択が適切であるかどうかを直ちに確認できる。ユーザが選択ボタン４４２を押すと、プロセッサ４２０は、現在の画像に対するテキスト設定をファームウェアメモリ４２８に保存する。保存された設定は、画像の印刷時に使用される。
【００４１】
ユーザが輝度変更サブメニューを選択すると、デジタルプリンタ４００のプロセッサ４２０は、デジタルカメラ３００のプロセッサ３２０に命令して、デジタルカメラ３００のカラー画像ディスプレイ３３２に表示されたプリンタＧＵＩ画面を更新し、図６Ｎに示すＧＵＩ画面７２８を提示する。メモリカード３３０から読み込まれた現在の画像の小型サムネイル表示は、ウィンドウ７３４に表示される。２番目のウィンドウ７３６は、輝度が調整されたバージョンの同一デジタル画像を表示する。左向き矢印７３０と右向き矢印７３２は、図４のカーソル４５０の左向き矢印４５２と右向き矢印４５６を押して、輝度設定を選択できることをユーザに示すものである。現在選択されている輝度設定７３８は、チェック印７４０によって示される。ユーザが各種の輝度設定を選択すると、ウィンドウ７３６に表示される画像が更新され、変更された画像を表示する。この変更には、１９９９年５月２０日に出願された本願と同一出願人ジルマン（Ｇｉｌｍａｎ）他による米国特許出願第０９／３１５，６４７号明細書「描画済みデジタル画像のコマ修正（Ｃｏｒｒｅｃｔｉｎｇ  Ｅｘｐｏｓｕｒｅ  ｉｎ  ａ  ｒｅｎｄｅｒｅｄ  Ｄｉｇｉｔａｌ  Ｉｍａｇｅ）」に記載された方法を利用する。メモリカード３３０の画像ファイルに保存されたサムネイル画像データを使用することで、プリンタ４００のプロセッサ４２０は、画像を速やかに変更して、ユーザの選択に対する視覚的応答を即剤にウィンドウ７３６に提供できるため、ユーザは、選択が適切であるかどうかを即座に確認できる。ユーザが選択ボタン４４２を押すと、プロセッサ４２０は、現在の画像に対する輝度設定をファームウェアメモリ４２８に保存する。保存された設定は、画像の印刷時に使用される。
【００４２】
ユーザがカード消去（Ｅｒａｓｅ  Ｃａｒｄ）サブメニューを選択すると、デジタルプリンタ４００のプロセッサ４２０は、デジタルカメラ３００のプロセッサ３２０に命令して、デジタルカメラ３００のカラー画像ディスプレイ３３２に表示されたプリンタＧＵＩ画面を更新し、図６−Ｏに示すＧＵＩ画面７４２を提示する。メモリカード３３０から画像すべてを消去することをユーザが確認すると、進行状況バー７４４が画像消去の進行状況を提示する。中止バー７４６を選択して、メモリカード３３０の消去処理を中止できる。
【００４３】
ユーザがインクレベルサブメニューを選択すると、デジタルプリンタ４００のプロセッサ４２０は、デジタルカメラ３００のプロセッサ３２０に命令して、デジタルカメラ３００のカラー画像ディスプレイ３３２に表示されたプリンタＧＵＩ画面を更新し、図６Ｐに示すＧＵＩ画面７４８を提示する。ＧＵＩ画面７４８は、デジタルプリンタ４００のマーキング装置４１２内のカートリッジに残っているインクの概略レベルを示すグラフィック表示７５２と数値７５０を含む。ユーザは、図４の選択ボタン４４２、または表示／復帰ボタン４４４を押して、ユーティリティサブメニュー（図示せず）に戻ることができる。
【００４４】
ユーザがユーザデフォルトレイアウトのサブメニューを選択すると、デジタルプリンタ４００のプロセッサ４２０は、デジタルカメラ３００のプロセッサ３２０に命令して、デジタルカメラ３００のカラー画像ディスプレイ３３２に表示されたプリンタＧＵＩ画面を更新し、図６Ｑに示すＧＵＩ画面７５４を提示する。図６Ｄを参照して説明した処理と同様の処理を利用して、ユーザは好みのレイアウトを選択できる。このレイアウトは、図６Ａを参照して既に説明したように、プリンタが次に使用される時のデフォルト設定として利用される。ユーザが選択ボタン４４２を押すと、プロセッサ４２０は、ユーザデフォルト設定をファームウェアメモリ４２８に保存する。
【００４５】
ファームウェアメモリ４２８に保存されたファームウェアコードは、本願と同一出願人パルスキー（Ｐａｒｕｌｓｋｉ）による米国特許出願第０９／５３４，４６９号明細書「撮像装置の構成と購入（Ｃｏｎｆｉｇｕｒｉｎｇ  ａｎｄ  Ｐｕｒｃｈａｓｉｎｇ  Ｉｍａｇｅ  Ｄｅｖｉｃｅｓ）」に記載されているように、個別ユーザの要望に合わせてカスタマイズできる。メモリカード３３０またはカメラインタフェース４２２のいずれかを使用して、各コンピュータ（図示せず）からファームウェアメモリ４２８にカスタマイズされたファームウェアをアップロードできる。ファームウェアメモリ４２８に保存された構成済みファームウェアは、個人的なデジタルデータ、たとえば、プリンタ所有者の名前、住所、好みの写真、あるいは、プリンタを贈答品として付与する場合の挨拶文などを含むことができる。この個人的なデジタルデータは、デジタルプリンタ４００がオンに切り換えられ、デジタルカメラに接続された時に、所定期間（たとえば、５秒間）ディスプレイに表示できる。デジタルプリンタ４００は、小型の携帯式装置であってもよいが、その場合にデジタルプリンタ４００の紛失時または盗難時に、この個人的なデジタルデータを利用して所有者を特定できる。
【００４６】
図７に示す別の実施形態において、デジタルプリンタ４００は、接続ケーブル３４２’という形式での接続部３４２を利用して、電子カメラ３００に接続される。接続ケーブル３４２’は、電子カメラ３００のコネクタと結合し、図１に示した電子カメラ３００のプリンタインタフェース３２２と図２に示したデジタルプリンタ４００のカメラインタフェース４２２間の接続を提供する。図７のデジタルプリンタ４００は、デジタルカメラ３００を保持する溝を含まない。
【００４７】
図８は、印刷システムの第３実施形態の斜視図である。この印刷システムは、デジタルカメラ３００Ａとドッキングするデジタルプリンタ８００Ａを含む。デジタルカメラ３００Ａは、図１および図３Ａを参照して説明したデジタルカメラ３００と同様であるが、カメラのスタイルおよびユーザコントロール３０３の数と場所は前記カメラと異なる。デジタルカメラ３００Ａは、光学式ビューファインダ３１１Ａおよびカラー画像ディスプレイ３３２Ａ、並びにユーザコントロール３０３Ａを含む。デジタルプリンタ８００Ａは、プリント８１８Ａの出口である用紙排出溝８１６Ａを含む。
【００４８】
図９は、デジタルプリンタ８００Ａの平面図である。プリンタ８００Ａは、デジタルカメラ３００Ａを受け入れる窪み８０４Ａを有する隆起上部領域８０２Ａを含む。窪み８０４Ａは、デジタルカメラ３００Ａ（図１）のコネクタ３５２と結合する電気的接続部４５２Ａを有する接続インタフェース領域８０６Ａを含み、これにより、デジタルカメラ３００Ａのプリンタインタフェース３２２と、デジタルプリンタ８００Ａのカメラインタフェース４２２Ａとを電気的に接続する。好ましい一実施形態において、電子カメラ３００Ａとデジタルプリンタ８００Ａ間の電気的接続部３４２は、ユニバーサルシリアルバス（ＵＳＢ）インタフェース規格を使用するが、周知のＩＥＥＥ１３９４インタフェース規格、または所有権付きのインタフェース規格を含む他のケーブル接続やカード接続の規格を始め、多くの他のインタフェース規格を使用してもよい。
【００４９】
窪み８０４Ａは、更に、デジタルカメラ３００Ａを機械的に固定するための複数のピンを含む。このピンは、デジタルカメラ３００Ａの底面にある三脚装着穴（図示せず）に滑り込む立ち上がり杭８１０Ａと、デジタルカメラ３００Ａの底面にある位置決め穴（図示せず）に滑り込む位置決めピン８１２Ａである。
【００５０】
デジタルプリンタ８００Ａは、ユーザコントロール４３０Ａを含む。ユーザコントロール４３０Ａは、印刷モードディスプレイを構成する複数の状態アイコン８２２Ａ〜８２８Ａを含む印刷モード選択ユーザインタフェース８２０Ａを含む。アイコン８２２Ａは「印刷指示ファイル」（たとえば、ＤＰＯＦ）の印刷モードを示し、アイコン８２４Ａは「現行画像の印刷（ｐｒｉｎｔ  ｃｕｒｒｅｎｔ  ｉｍａｇｅ）」の印刷モードを示し、アイコン８２６Ａは「すべて印刷（ｐｒｉｎｔ  ａｌｌ）」の印刷モードを示し、アイコン８２８Ａは「索引印刷（ｉｎｄｅｘ  ｐｒｉｎｔ）」の印刷モードを示す。図１１Ａ及び図１１Ｂを参照しながら後述するように、デジタルカメラ３００Ａがデジタルプリンタ８００Ａにドッキングされると、デジタルカメラ３３０Ａのメモリカード３３０が検査され、印刷指示ファイル、たとえば、ＤＰＯＦファイルなどが存在するかどうかが判定される。ファイルが存在する場合、印刷モードは自動的に「印刷指示ファイル」モードに設定され、状態アイコン８２２Ａが表示される。印刷指示ファイルがメモリカード３３０に保存されていない場合、印刷モードは自動的に「現行画像の印刷」モードに設定され、状態アイコン８２４Ａが表示される。「印刷モード」ボタン８３０Ａが使用されると、モードが変化する。ユーザが８３０Ａボタンを押すたびに印刷モードが次のモードへと循環的に切り換わる。言い換えると、現在のモードが「印刷指示ファイル」モードである場合、このモードは、ボタン８３０Ａが最初に押された時に「現行画像の印刷」モードに切り換わり、次に押されたとき、すなわちボタン８３０Ａが２度目に押された時に「すべて印刷」モードに切り換わり、その次に押されたとき、すなわちボタン８３０Ａが３度目に押された時に「索引印刷」モードに切り換わり、最後、すなわちボタン８３０Ａが４度目に押された時に「印刷指示ファイル」モードに戻る。
【００５１】
ユーザコントロール４３０Ａは、更に、「＋／−」ボタン８３２Ａ，８３４Ａを含む。これらのボタンは、デジタルカメラ３００Ａのカラー画像ディスプレイ３３２Ａに表示された現在の画像を変更できる。たとえば、ユーザは、印刷モードが「現行画像の印刷」モードに設定されるまで押しボタン８３０Ａを押し、次に「＋」ボタン８３２Ａを１回以上押すと、現在の画像の位置に次の画像を表示でき、「−」ボタンを１回以上押すと、前の画像を現在の画像として表示できる。そして、ユーザが印刷ボタン８３６Ａを押すと、現在の画像のプリントが作成される。
【００５２】
デジタルプリンタ８００Ａは、用紙エラー、たとえば紙詰まり、または用紙欠如などがデジタルプリンタ８００Ａに発生した時に点滅する用紙エラーＬＥＤ８４４Ａを含む。また、デジタルプリンタ８００Ａは、ドナー（ｄｏｎｏｒ）エラー、たとえば、ドナーリボン詰まりがデジタルプリンタ８００Ａに発生した時、またはドナーリボンを使い切った時に点滅するドナーエラーＬＥＤ８４８Ａを含む。デジタルプリンタ８００Ａは、デジタルカメラ３００Ａの充電式電池３６０（図１参照）の充電レベルを示すカメラ電池パワーＬＥＤインジケータ８４６Ａを含む。
【００５３】
また、ユーザコントロール４３０Ａは、転送ボタン８５０Ａと、スライドショーボタン８５２Ａも含む。転送ボタン８５０Ａが使用されると、デジタルカメラ３００Ａのメモリカード３３０から任意のコンピュータ４９６Ａ（図１０参照）へのデジタル画像の転送がＰＣインタフェース４９２Ａおよびコネクタ４９４Ａを介して開始する。スライドショーボタン８５２Ａが使用されると、メモリカード３３０に保存されたすべての画像のスライドショー表示が、デジタルカメラ３００ＡのＬＣＤ３３２Ａ上、あるいは、ビデオドライバ回路４７０Ａとコネクタ４７２Ａを通じて任意のテレビ受像機上のいずれかで開始する。
【００５４】
図１０は、デジタルプリンタ８００Ａのブロック図である。デジタルプリンタ８００Ａは、電子カメラ３３０Ａからインタフェース３４２を介してメモリカード３３０に供給された画像からデジタルプリント８１８Ａを作成する。接続部３４２は、カメラインタフェース回路４２２Ａと接続するデジタルプリンタ８００Ａ上のコネクタ４５２Ａを含み、カメラインタフェース回路４２２Ａはプロセッサ４２０ＡおよびＰＣインタフェース４９２Ａに接続される。デジタルプリンタ８００Ａは、プリンタプロセッサ４２０Ａの制御下でハードコピー媒体（たとえば、インクジェット用紙、または感熱記録紙）を運んでマーキング装置４１２Ａ（たとえば、カラーインクジェットヘッド、または感熱印字ヘッド）に通す媒体移送機構４１０Ａ、たとえば、モータ駆動式ローラなど、を含む。プロセッサ４２０Ａは、マーキング装置４１２Ａを制御して、調整された量の各種カラーインクまたは染料を供給し、ハードコピー媒体上に写真画像を作成する。カラーマーキング装置４１２Ａは、別の方法として、カラー電子写真技法、カラーインスタント技術、またはその他の技術を利用して、デジタルプリントを作成してもよい。図８に示すように、デジタルプリンタ８００Ａは、前記プリントをデジタルプリンタ８００Ａから排出できる用紙排出溝４１６を含む。
【００５５】
デジタルプリンタ８００は、プリンタのファームウェアメモリ４２８Ａに格納されたファームウェアによって制御される。このファームウェアは、ユーザコントロール４３０Ａに対するプロセッサ４２０Ａの応答方法を制御する。電子カメラ３００Ａによって作成された画像ファイルはＪＰＥＧ／Ｅｘｉｆ画像形式を利用しており、この画像ファイルはＪＰＥＧ形式で圧縮されているため、印刷前に圧縮解除される必要がある。好ましい実施形態において、この圧縮解除は、カメラ３００Ａの画像プロセッサ３２０によって行われるが、これは、デジタルプリンタ８００Ａのプロセッサ４２０Ａに必要な性能およびコストを削減するためである。この好ましい実施形態において、画像プロセッサ３２０は、更に、補間、シャープニング、および色修正を提供して、マーキング装置４１２Ａで利用される画像データを適切に準備する。処理された画像データは、次に、インタフェース４５２Ａを介してデジタルカメラ３００Ａからデジタルプリンタ８００Ａに転送される。
【００５６】
図１１Ａ及び図１１Ｂは、ユーザによる一般的な対話操作の例を示す流れ図である。ブロック９００において、カメラユーザは、デジタルカメラ３００Ａを使用して多数のデジタル画像を取り込む。取り込まれたデジタル画像は、メモリカード３３０を利用してＥｘｉｆ画像ファイルとして保存される。ブロック９０２において、ユーザは、デジタルカメラ３００Ａを使用してプリント指示を作成するかどうかを決定する。ブロック９０２で「はい」である場合は、ブロック９０４において、ユーザがメモリカード３３０に保存されている取り込み画像を再表示する。ブロック９０２で「いいえ」である場合は、ブロック９０４および９０６が省略される。
【００５７】
ブロック９０４において、ユーザは、印刷する画像と、各プリントに作成するコピー数を選択する。たとえば、ユーザは、一部の画像についてコピーなし、他の画像について単一のコピー、そしていくつかの好みの画像について２枚以上のコピーを要求してもよい。この選択は、ユーザがデジタルカメラ３００Ａのカラー画像ディスプレイ３３２Ａに画像を表示した時に、ユーザコントロール３０３Ａを使用して行われる。ブロック９０６において、デジタルカメラ３００Ａの画像プロセッサ３２０は、ＤＰＯＦファイルとすることもできる印刷指示ファイルを作成し、作成したファイルをメモリカード３３０に保存する。
【００５８】
ブロック９０８において、ユーザはデジタルカメラ３００Ａをデジタルプリンタ８００Ａに配置し、取り込まれた画像のいくつかのプリントを作成する。ブロック９１０において、デジタルプリンタ８００Ａのプロセッサ４２０Ａは、メモリカード３００に印刷指示ファイルが存在するかどうかを判断するために、デジタルカメラ３００Ａの画像プロセッサ３２０にリクエストを送信する。ブロック９１０で「はい」である場合は、ブロック９１２において、「印刷指示ファイル」の印刷モードが自動的に有効化され（たとえば、このモードがデフォルトモードになり）、「印刷指示ファイル」の印刷モードアイコン８２２Ａが表示される。ブロック９１０で「いいえ」である場合は、ブロック９２０において、「現行画像」の印刷モードが自動的に有効化され、「現行画像」印刷モードアイコン８２４Ａが表示される。「印刷指示ファイル」の印刷モードが有効化された場合（ブロック９１２）は、デジタルカメラ３００ＡのＬＣＤ３３２Ａが、図１２Ｂに示すプリンタＧＵＩ画面１０００を表示する。この「印刷指示（ＰＲＩＮＴ  ＯＲＤＥＲ）」画面は、印刷対象として指定された写真の数（たとえば、５枚）および要求されたすべてのプリントの作成に必要なページ数（たとえば、９ページ）を表示する。図１１Ａ及び図１１Ｂには示してないが、ユーザが「＋」ボタン８３４Ａを押した場合、デジタルカメラ３００ＡのＬＣＤ３３２Ａは、図１２Ｂに示したＧＵＩ画面１０００の表示を印刷指示の最初の画像、すなわち、図１２ＡのＧＵＩ画面２００に示すような画像の表示に置き換える。ユーザが「＋」ボタン８３４Ａ（または、「−」ボタン８３２Ａ）を押すごとに、印刷指示の次（または前）の画像がデジタルカメラ３００ＡのＬＣＤ３３２Ａに表示される。
【００５９】
ブロック９１４では印刷指示ファイルモードが有効化されているため、ユーザが印刷ボタン８３６Ａを押した場合（９１４で「はい」の場合）、ブロック９１６において、デジタルプリンタ８００Ａは、ブロック９０６で作成された印刷指示ファイルに指定されているとおりに画像を印刷する。画像の印刷後、デジタルプリンタ８００Ａは、印刷指示ファイルをクリアし、その後で「現行画像」の印刷モード９２０を有効化する。ブロック９１４において、ユーザが印刷ボタン８３６Ａを押さない場合（９１４で「いいえ」の場合）、プリンタは依然として「印刷指示ファイル」の印刷モード９１２に留まる。
【００６０】
ブロック９１８において、ユーザがモードボタン８３０を押した場合（９１８で「はい」の場合）、ブロック９２０において「現行画像」の印刷モードが有効化される。ブロック９１８において、ユーザがモードボタン８３０Ａを押さない場合（９１８で「いいえ」の場合）、プリンタは依然として「印刷指示ファイル」の印刷モード９１２に留まる。
【００６１】
「現行画像」の印刷モードが使用可能になると、デジタルカメラ３００ＡのＬＣＤ３３２Ａは、図１２Ａに示すプリンタＧＵＩ画面２０００を表示する。この「現行印刷（ｐｒｉｎｔ  ｃｕｒｒｅｎｔ）」画面は現在の画像を表示する。ブロック９２２において、ユーザが次の画像に進む「＋」ボタン８３４Ａ、または前の画像に戻る「−」ボタン８３２Ａのいずれかを押した場合（９２２で「はい」の場合）、ブロック９２４において現在の画像が変更され、図１２Ａに示す画像の場所に新しい画像が「現行」画像として表示される。ブロック９２２において、ユーザが「＋」ボタン８３４Ａまたは「−」ボタン８３２Ａのいずれも押さない場合（９２２で「いいえ」の場合）、現行画像は変更されない。ブロック９２６において、ユーザが印刷ボタン８３６を押した場合（９２６で「はい」の場合）、デジタルプリンタ８００Ａは、ブロック９２８において、現在表示されている画像のプリントを１つ作成する。これは、単一画像のみを印刷する極めて単純なモードを提供する。この単一画像は、デジタルカメラ３００Ａのカラー画像ディスプレイ３３２Ａに現在表示されている画像である。ブロック９２８において現行画像を印刷した後、「現行画像」の印刷モードは、引き続き有効化された状態にある（ブロック９２０）。ブロック９２６において、ユーザが印刷ボタン８３６Ａを押さない場合（９２６で「いいえ」の場合）、プリントは作成されず、プリンタは依然として「現行画像」の印刷モードに留まる（ブロック９２０）。
【００６２】
ブロック９３０において、ユーザがモードボタン８３０Ａを押した場合（９３０で「はい」の場合）、ブロック９３２において、「すべて印刷」の印刷モードが有効化される。ブロック９３０において、ユーザがモードボタン８３０Ａを押さない場合（９３０で「いいえ」の場合）、プリンタは依然として「現行画像」の印刷モードに留まる（ブロック９２０）。「すべて印刷」の印刷モードが有効化されると、デジタルカメラ３００ＡのＬＣＤ３３２Ａは、図１２Ｃに示されるプリンタＧＵＩ画面３０００を表示する。この「すべて印刷（ｐｒｉｎｔ  ａｌｌ）」画面は、すべての写真がこの印刷モードで印刷されることを示すと共に、すべてのプリントの作成に必要な合計ページ数（たとえば、３２ページ）を含む。ブロック９３４において、ユーザが「印刷」ボタン８３６Ａを押した場合（９３４で「はい」の場合）、デジタルプリンタ８００Ａは、メモリカード３３０に保存された各画像のプリントを１つずつ作成する。これは、取り込まれた画像すべてを印刷する極めて単純なモードを提供する。プリントの作成後、プリンタはブロック９１０に移行し、印刷指示ファイルが存在するかどうかを判定する。ブロック９３４において、ユーザが印刷ボタン８３６Ａを押さない場合（９３４で「いいえ」の場合）、プリントは作成されず、プリンタは依然として「すべて印刷」の印刷モードに留まる（ブロック９３２）。
【００６３】
ブロック９３８において、ユーザがモードボタン８３０Ａを押した場合（９３８で「はい」の場合）、ブロック９４０において「索引印刷」の印刷モードが有効化される。ブロック９３８において、ユーザがモードボタン８３０Ａを押さない場合（９３８で「いいえ」の場合）、プリントは作成されず、プリンタは依然として「すべて印刷」の印刷モードに留まる（ブロック９３２）。「索引印刷」の印刷モードが有効化されると、デジタルカメラ３００ＡのＬＣＤ３３２Ａは、図１２Ｄに示すプリンタＧＵＩ画面４０００を表示する。この「索引印刷（ｐｒｉｎｔ  ｉｎｄｅｘ）」画面は、すべての写真がこの印刷モードで１つ以上の索引プリントとして印刷されることを示すと共に、索引プリントの作成に必要な合計ページ数（たとえば、２ページ）を示す。ブロック９４２において、ユーザが「印刷」ボタン８３６Ａを押した場合（９４２で「はい」の場合）、デジタルプリンタ８００Ａは、要求された索引プリントを作成する（ブロック９４４）。プリントの作成後、プリンタはブロック９１０に移行し、印刷指示ファイルが存在するかどうかを判定する。ブロック９４２において、ユーザが印刷ボタン８３６Ａを押さない場合（９４２で「いいえ」の場合）、索引プリントは作成されず、プリンタは依然として「索引印刷」の印刷モードに留まる（ブロック９４０）。
【００６４】
ブロック９４６において、ユーザがモードボタン８３０Ａを押した場合（９４６で「はい」の場合）は、ブロック９１０において、メモリカード３３０が検査され、前述したように印刷指示ファイルを含むかどうかを判定する。「はい」である場合、ブロック９１２において「印刷指示ファイル」の印刷モードが有効化される。「いいえ」である場合は、ブロック９２０において「現行画像」の印刷モードが有効化される。ブロック９４６において、ユーザがモードボタン８３０Ａを押さない場合（９４６で「いいえ」の場合）、プリンタは依然として「索引印刷」の印刷モードに留まる（ブロック９４０）。
【００６５】
本発明について、特定の好ましい実施形態を参照して詳細に説明したが、本発明の精神および範囲にもとることなく、各種の変更および変形を行えることは理解されるであろう。
【図面の簡単な説明】
【００６６】
【図１】カラー画像ディスプレイを含み、画像を取り込んでデジタル記憶媒体に保存するデジタルカメラを示すブロック図である。
【図２】印刷する画像を選択するためのユーザコントロールを備え、図１のデジタルカメラと結合して、カメラのカラー画像ディスプレイに表示された画像を制御するデジタルプリンタを示すブロック図である。
【図３Ａ】電子カメラの背面を示す図である。
【図３Ｂ】デジタルプリンタの第１実施形態を示す斜視図である。
【図４】プリンタのグラフィカルユーザインタフェースを示す図である。
【図５】ユーザによる一般的な対話操作の例を示す流れ図である。
【図６Ａ】プリンタのグラフィカルユーザインタフェース部分として使用されるグラフィカルユーザインタフェース画面を示す図である。
【図６Ｂ】プリンタのグラフィカルユーザインタフェース部分として使用されるグラフィカルユーザインタフェース画面を示す図である。
【図６Ｃ】プリンタのグラフィカルユーザインタフェース部分として使用されるグラフィカルユーザインタフェース画面を示す図である。
【図６Ｄ】プリンタのグラフィカルユーザインタフェース部分として使用されるグラフィカルユーザインタフェース画面を示す図である。
【図６Ｅ】プリンタのグラフィカルユーザインタフェース部分として使用されるグラフィカルユーザインタフェース画面を示す図である。
【図６Ｆ】プリンタのグラフィカルユーザインタフェース部分として使用されるグラフィカルユーザインタフェース画面を示す図である。
【図６Ｇ】プリンタのグラフィカルユーザインタフェース部分として使用されるグラフィカルユーザインタフェース画面を示す図である。
【図６Ｈ】プリンタのグラフィカルユーザインタフェース部分として使用されるグラフィカルユーザインタフェース画面を示す図である。
【図６Ｉ】プリンタのグラフィカルユーザインタフェース部分として使用されるグラフィカルユーザインタフェース画面を示す図である。
【図６Ｊ】プリンタのグラフィカルユーザインタフェース部分として使用されるグラフィカルユーザインタフェース画面を示す図である。
【図６Ｋ】プリンタのグラフィカルユーザインタフェース部分として使用されるグラフィカルユーザインタフェース画面を示す図である。
【図６Ｌ（ａ）】プリンタのグラフィカルユーザインタフェース部分として使用されるグラフィカルユーザインタフェース画面を示す図である。
【図６Ｌ（ｂ）】プリンタのグラフィカルユーザインタフェース部分として使用されるグラフィカルユーザインタフェース画面を示す図である。
【図６Ｍ（ａ）】プリンタのグラフィカルユーザインタフェース部分として使用されるグラフィカルユーザインタフェース画面を示す図である。
【図６Ｍ（ｂ）】プリンタのグラフィカルユーザインタフェース部分として使用されるグラフィカルユーザインタフェース画面を示す図である。
【図６Ｎ】プリンタのグラフィカルユーザインタフェース部分として使用されるグラフィカルユーザインタフェース画面を示す図である。
【図６Ｏ】プリンタのグラフィカルユーザインタフェース部分として使用されるグラフィカルユーザインタフェース画面を示す図である。
【図６Ｐ】プリンタのグラフィカルユーザインタフェース部分として使用されるグラフィカルユーザインタフェース画面を示す図である。
【図６Ｑ】プリンタのグラフィカルユーザインタフェース部分として使用されるグラフィカルユーザインタフェース画面を示す図である。
【図７】デジタルプリンタの第２実施形態を示す図である。
【図８】デジタルプリンタの第３実施形態を示す斜視図である。
【図９】デジタルプリンタの第３実施形態を示す平面図である。
【図１０】デジタルプリンタの第３実施形態を示すブロック図である。
【図１１Ａ】ユーザによる一般的な対話操作の例を示す流れ図であり、Ａ、Ｂ、Ｃ、Ｄ、Ｅ、Ｆ、Ｇ、Ｈの流れは、図１１Ｂ中のＡ、Ｂ、Ｃ、Ｄ、Ｅ、Ｆ、Ｇ、Ｈの流れに接続されることを示す図である。
【図１１Ｂ】ユーザによる一般的な対話操作の例を示す流れ図であり、Ａ、Ｂ、Ｃ、Ｄ、Ｅ、Ｆ、Ｇ、Ｈの流れは、図１１Ａ中のＡ、Ｂ、Ｃ、Ｄ、Ｅ、Ｆ、Ｇ、Ｈの流れに接続されることを示す図である。
【図１２Ａ】プリンタのグラフィカルユーザインタフェースとして使用されるグラフィカルユーザインタフェース画面を示す図である。
【図１２Ｂ】プリンタのグラフィカルユーザインタフェースとして使用されるグラフィカルユーザインタフェース画面を示す図である。
【図１２Ｃ】プリンタのグラフィカルユーザインタフェースとして使用されるグラフィカルユーザインタフェース画面を示す図である。
【図１２Ｄ】プリンタのグラフィカルユーザインタフェースとして使用されるグラフィカルユーザインタフェース画面を示す図である。
【符号の説明】
【００６７】
３００  デジタルカメラ、３０２  フラッシュ、３０３  ユーザコントロール、３０４  タイミング発生器回路、３０６  クロックドライバ、３０８  自動焦点および自動露光検出器、３１０  ズームとフォーカスのモータ駆動部、３１１  光学式ビューファインダ、３１２  ズームレンズ、３１４  画像センサ、３１６  アナログ／デジタル変換器回路、３１８  ＤＲＡＭバッファメモリ、３２０  カメラプロセッサ、３２２  プリンタインタフェース、３２４  カメラメモリカードインタフェース、３２６  ＲＡＭメモリ、３２８  ファームウェアメモリ、３３０  メモリカード、３３２  カラーＬＣＤ画像ディスプレイ、３４２  電気的接続部、３５２  コネクタ、３６０  充電式電池、３６２  電源供回路、３７２  ズームレンズ制御スイッチ、３７４  シャッタボタン、４００  デジタルプリンタ、４１０  媒体移送機構、４１２  カラーマーキング装置、４１４  アクセス扉、４１６  用紙排出溝、４２０  プリンタプロセッサ、４２２  カメラインタフェース、４２６  ＲＡＭメモリ、４２８  ファームウェアメモリ、４３０  ユーザコントロール、４５２  コネクタ。
【図１】
2004242316.tif 000003
【図２】
2004242316.tif 000004
【図３Ａ】
2004242316.tif 000005
【図３Ｂ】
2004242316.tif 000006
【図４】
2004242316.tif 000007
【図５】
2004242316.tif 000008
【図６Ａ】
2004242316.tif 000009
【図６Ｂ】
2004242316.tif 000010
【図６Ｃ】
2004242316.tif 000011
【図６Ｄ】
2004242316.tif 000012
【図６Ｅ】
2004242316.tif 000013
【図６Ｆ】
2004242316.tif 000014
【図６Ｇ】
2004242316.tif 000015
【図６Ｈ】
2004242316.tif 000016
【図６Ｉ】
2004242316.tif 000017
【図６Ｊ】
2004242316.tif 000018
【図６Ｋ】
2004242316.tif 000019
【図６Ｌ（ａ）】
2004242316.tif 000020
【図６Ｌ（ｂ）】
2004242316.tif 000021
【図６Ｍ（ａ）】
2004242316.tif 000022
【図６Ｍ（ｂ）】
2004242316.tif 000023
【図６Ｎ】
2004242316.tif 000024
【図６Ｏ】
2004242316.tif 000025
【図６Ｐ】
2004242316.tif 000026
【図６Ｑ】
2004242316.tif 000027
【図７】
2004242316.tif 000028
【図９】
2004242316.tif 000029
【図１０】
2004242316.tif 000030
【図１１Ａ】
2004242316.tif 000031
【図１１Ｂ】
2004242316.tif 000032
【図８】
2004242316.tif 000033
【図１２Ａ】
2004242316.tif 000034
【図１２Ｂ】
2004242316.tif 000035
【図１２Ｃ】
2004242316.tif 000036
【図１２Ｄ】
2004242316.tif 000037